(57)【要約】【課題】流路内の流体を効率よく整流化でき、壊食能を向上できる整流部材、この整流部材を流路内に備えたノズル又はノズルのフィルタ構造、並びにデスケーリングノズルの壊食能を向上させる方法を提供する。【解決手段】ノズルの上流域には複数のスリット状流入口が形成され、この流入口からの流体の流入域の流路内には、放射状の複数の羽根５を有する整流部材４が配設されている。整流部材４の羽根５の数は１０〜１６枚、羽根の厚みは０．３〜０．７ｍｍ、整流部材が装着される流路の内径（Ｄ）に対する羽根の長さ（Ｌ）の比（Ｌ／Ｄ）は１．３〜２．５である。整流部材４の下流側及び上流側には先細状の円錐形突起６，７が形成されている。【選択図】図３
2011115749.tif 000002
【特許請求の範囲】
【請求項１】
ノズルの流路内に配設される整流部材であって、軸芯から放射状に１０〜２０枚の羽根が延びている整流部材。
【請求項２】
羽根の厚みが０．１〜１ｍｍである請求項１記載の整流部材。
【請求項３】
整流部材が装着される流路の内径（Ｄ）に対する羽根の長さ（Ｌ）の比（Ｌ／Ｄ）が１〜３であるである請求項１又は２記載の整流部材。
【請求項４】
下流側に下流方向にいくにつれて先細りとなる円錐状の突起を備えているとともに、上流側に上流方向にいくにつれて先細りとなる円錐状の突起を備えている請求項１〜３のいずれかに記載の整流部材。
【請求項５】
ｎ枚の板部材の組み合わせにより、２×ｎ枚の羽根を形成している請求項１〜４のいずれかに記載の整流部材。
【請求項６】
ノズルが、先端部の凹面または凹部で開口した吐出孔と、この吐出孔からテーパ角３０〜８０°で延びるテーパ部と、このテーパ部に連なる径大部とで構成されたノズル孔を備えており、前記吐出孔の短径Ｄ２に対する径大部の内径Ｄ１の割合（Ｄ１／Ｄ２）が３以上である請求項１〜５のいずれかに記載の整流部材。
【請求項７】
周方向に等間隔で１０〜１６枚の羽根が放射状に延びており、羽根の厚みが０．３〜０．７ｍｍであり、整流部材が装着される流路の内径（Ｄ）に対する羽根の長さ（Ｌ）の比（Ｌ／Ｄ）が１．３〜２．５である請求項１〜６のいずれかに記載の整流部材。
【請求項８】
周方向に等間隔で１２枚の羽根が放射状に延びており、羽根の厚みが０．４〜０．６ｍｍであり、整流部材が装着される流路の内径（Ｄ）に対する羽根の長さ（Ｌ）の比（Ｌ／Ｄ）が１．５〜２．３である請求項１〜７のいずれかに記載の整流部材。
【請求項９】
請求項１〜８のいずれかに記載された整流部材が、ノズルの流路内に配設されているデスケーリングノズル。
【請求項１０】
ノズルの上流部に周方向に間隔をおいて軸方向に延びる複数のスリットを有するスリット状フィルタ部が形成され、このフィルタ部の流路内に整流部材が配設されている請求項９記載のデスケーリングノズル。
【請求項１１】
請求項１〜８のいずれかに記載された整流部材がノズルのフィルタ部の流路内に配設されているノズルのフィルタ構造。
【請求項１２】
請求項１〜８のいずれかに記載された整流部材を、ノズルのフィルタ部の流路内に配設し、デスケーリングノズルの壊食能を向上させる方法。
【発明の詳細な説明】
【技術分野】
【０００１】
本発明は、ノズルの流路内に配設され、流体の流れを整流化させるのに有用な整流部材（又は整流器）、この整流部材を備えたノズル（又はデスケーリングノズル）及びノズルのフィルタ構造、並びにノズル（又はデスケーリングノズル）の壊食能を向上させる方法に関する。特に、熱間圧延鋼板のスケール、錆やコーティング膜の除去や、基材などの被洗浄物の洗浄などに有用な高圧スプレーノズル（デスケーリングノズルなど）に適した整流部材と、この整流部材を備えたデスケーリングノズル及びそのフィルタ構造に関する。
【背景技術】
【０００２】
高圧スプレーノズル、例えば、デスケーリングノズルは、通常、軸方向に延びる流路を有するノズル本体と、このノズル本体の上流側の周壁に周方向に間隔をおいて軸方向に延び、かつ流体（水など）を前記流路内に流入させるための複数のスリットと、このスリットの下流側の流路内に配設され、前記スリットから流入して混合した流体を整流化するための整流部材と、この整流部材の下流方向に延び、前記ノズル本体の先端部に装着されたノズルチップの吐出口に至る流路とを備えている。なお、前記複数のスリットは、夾雑物が流路内に侵入するのを防止するためのフィルタ部を構成しており、前記整流部材は、周方向に間隔をおいて軸方向に延びる複数の羽根を備えている。このような高圧スプレーノズルでは、各スリットから流入した流体（水など）が流路内で合流・混合されて乱流を形成し、整流部材により整流化し、吐出口から流体を吐出又は噴射できる。
【０００３】
しかし、これらのノズル構造では、スリットから流入した流体が流路内で合流・衝突して乱流が生成し、流体の流速を大きく低減させる。そのため、吐出口からの流体の衝突力が低減し、スケール除去効率を高めることができない。
【０００４】
特開２００９−２６９０２５号公報（特許文献１）には、入口（スリット）と噴射先端との中間の流路に、周方向に間隔をおいて半径方向に延びる複数の羽根を有する２つの整流部材を軸方向に所定間隔おいて配設し、隣接する２つの整流部材を、羽根の周方向の位置をずらせて配設された多段ベーン部を備えたデスケーリングノズルも提案されている。このようなノズルでは、隣接する２つの整流部材の羽根が周方向に位置ずれさせ、スケール除去効率を高めることができるとされているが、このデスケーリングノズルでは、部品点数が増加するため、製造コストが高くなる。
【０００５】
特公平６−７３６９７号公報（特許文献２）には、整流板（羽根）を備えた整流器を内装した整流流路と、この整流流路から下流方向に連なり、かつ流路が狭まる絞り流路と、この絞り流路から下流方向に連なり、先端面に形成した噴射孔に至る噴射流路とを備えており、整流器は、整流板（羽根）の下流側に、下流方向にいくにつれて先細りとなる円錐形の突起を備え、この突起部を前記絞り通路内の上流側部分に入り込む状態で設けたデスケーリングノズルが開示されている。この特許文献２には、整流器に関し、羽根の数は６〜８枚であるのが望ましいこと、羽根の数４〜８枚において、８枚の羽根の方が衝突圧が大きくなること、条件が変われば、羽根の数は４枚や９枚以上であってもよいこと、羽根の長さは、１６ｍｍが衝突圧の点で最上であり、１０〜２２ｍｍ程度の長さが望ましいことが記載されている。このようなノズルでは、噴射流を可及的に整流状態に維持して、噴射圧の上昇および均等化により効率よく確実にスケールを除去できる。
【０００６】
特開２００３−１５９５４９号公報（特許文献３）には、ノズルチップの構造を特色とするスプレーノズルが開示され、整流板を設けることにより、乱流をなくして層流でノズルチップに水を供給すると、ノズルチップの流路により設計されたパターン通りの噴霧を均一の流量分布で得ることができることが記載され、複数の整流板を備えた整流器として、６０°間隔をあけて６枚の整流板を設けた整流器の例が記載されている。
【０００７】
さらに、特開２００８−２８５７５５号公報（特許文献４）には、通路内に整流部材を有する高圧ノズルが開示され、羽根枚数８枚を有し、通路の中心長手軸に自由な流れ断面（流路）を有する整流部材が図示されている。
【０００８】
特開２００４−２１６４５４号公報（特許文献５）には、ノズルから水を吐出させて鋼板表面のスケールを除去するためのデスケーリングノズルであって、ノズルが、先端部の凹面又は凹部で開口した吐出孔と、この吐出孔からテーパ角θ３０〜８０°で延びるテーパ部と、このテーパ部に連なる径大部とで構成されたノズル孔を備えており、前記吐出孔の短径Ｄ２に対する径大部の内径Ｄ１の割合（Ｄ１／Ｄ２）が３以上であるデスケーリングノズルが開示されている。このノズルでは、低圧及び／又は低流量であってもデスケーリング効率を大きく改善できる。この文献にも、複数のスリットで構成されたフィルタ部と、整流羽根を備えた整流ユニットと、この整流ユニットの芯体の両端から上下方向に延びる円錐部とが記載されている。
【０００９】
しかし、これらの整流部材では、未だ整流作用が小さく、流路内で発生する乱流を効率よく整流化できず、整流化した状態で流体を吐出口から吐出又は噴射することが困難である。また、生成する乱流に起因して、吐出口から噴射される流体の噴射パターンが不安定となる。さらには、衝突力が低下するため、洗浄又は清浄化効率が低下し、例えば、熱間圧延鋼板の製造過程で生成するスケールを高い壊食性能（スケール除去能又は壊食能）で効率よく除去できない。
【先行技術文献】
【特許文献】
【００１０】
【特許文献１】特開２００９−２６９０２５号公報（請求項１，図７）
【特許文献２】特公平６−７３６９７号公報（請求項１，実験例３，実験例４）
【特許文献３】特開２００３−１５９５４９号公報（特許請求の範囲、段落［００１４］［００４１］）
【特許文献４】特開２００８−２８５７５５号公報（請求項１，図６）
【特許文献５】特開２００４−２１６４５４号公報（請求項１，段落［００２８］、図１〜図３）
【発明の概要】
【発明が解決しようとする課題】
【００１１】
従って、本発明の目的は、流路内の流体を効率よく整流化できる整流部材（整流器）、この整流部材を流路内に備えたノズル（例えば、デスケーリングノズル）又はノズルのフィルタ構造、並びにノズル（又はデスケーリングノズル）の壊食能を向上させる方法を提供することにある。
【００１２】
本発明の他の目的は、流体を整流化して、吐出口から安定した噴射パターンで流体を噴射するのに有用な整流部材（整流器）、この整流部材を流路内に備えたノズル又はノズルのフィルタ構造、並びにノズルの壊食能を向上させる方法を提供することにある。
【００１３】
本発明のさらに他の目的は、衝突力、洗浄又は清浄化効率を向上できる整流部材（整流器）、この整流部材を流路内に備えたノズル又はノズルのフィルタ構造、並びにノズルの壊食能を向上させる方法を提供することにある。
【００１４】
本発明の別の目的は、デスケーリングノズルでの壊食能（スケール除去能）を大きく向上できる整流部材（整流器）を提供することにある。
【課題を解決するための手段】
【００１５】
本発明者らは、前記課題を達成するため整流部材の構成要素（羽根の枚数、厚み、長さなど）を最適化すべく鋭意検討した結果、羽根の枚数が多いほど、また羽根の厚みが小さいほど、整流作用（又は壊食能）を向上できること、整流部材が装着される流路の内径と羽根の長さとの割合も整流作用（又は壊食能）に大きく関係していることを見いだし、本発明を完成した。
【００１６】
すなわち、本発明の整流部材は、ノズルの流路内に配設される整流部材であって、軸芯から放射状に１０〜２０枚（例えば、１０〜１６枚）の羽根が延びている。整流部材の羽根の数が大きくなるほど整流作用を改善できるが、多すぎると羽根の間隔が小さくなり、目詰まりなどが生じやすくなる。そのため、羽根の数はノズルのサイズなどに応じて選択できる。複数の羽根は周方向に等間隔で放射状に延びている場合が多い。
【００１７】
羽根の厚みは小さいほど、整流化できるためか、ノズルからの流体の衝突力（壊食能）を向上できる。羽根の厚みは、ノズルのサイズなどに応じて、０．１〜１ｍｍ（例えば、０．３〜０．７ｍｍ）程度であってもよい。また、整流部材が装着される流路の内径（Ｄ）に対する羽根の長さ（Ｌ）の比（Ｌ／Ｄ）が大きいほど、整流効果が向上し、壊食性能を高めることができる。比（Ｌ／Ｄ）は１〜３（例えば、１．３〜２．５）程度であってもよい。
【００１８】
より具体的には、好ましい整流部材においては、例えば、周方向に等間隔で１２枚の羽根が放射状に延びており、羽根の厚みが０．４〜０．６ｍｍであってもよく、整流部材が装着される流路の内径（Ｄ）に対する羽根の長さ（Ｌ）の比（Ｌ／Ｄ）が１．５〜２．３であってもよい。
【００１９】
このような整流部材の羽根は、ｎ枚の板部材（例えば、軸方向に延びたスリットなどを利用して所定の角度で互いに順次装着可能な複数の板部材）の組み合わせにより、２×ｎ枚の羽根を形成してもよい。
【００２０】
さらに、流体の乱流化を抑制し、整流効率を向上させるため、整流部材の下流側には、下流方向にいくにつれて先細りとなる円錐状の突起を備えていてもよく、上流側には、上流方向にいくにつれて先細りとなる円錐状の突起を備えていてもよい。
【００２１】
なお、低流量及び／又は低圧でも衝突力を高めるため、ノズルは、先端部の凹面または凹部で開口した吐出孔と、この吐出孔からテーパ角３０〜８０°で延びるテーパ部と、このテーパ部に連なる径大部とで構成されたノズル孔を備えていてもよく、前記吐出孔の短径Ｄ２に対する径大部の内径Ｄ１の割合（Ｄ１／Ｄ２）は３以上であってもよい。
【００２２】
本発明は、前記整流部材が、ノズルの流路内に配設されたスプレーノズル、例えば、前記整流部材がノズルの流路内に配設されたデスケーリングノズルも包含する。また、前記整流部材が、ノズルのフィルタ部の流路内に配設されているノズルのフィルタ構造も包含する。前記デスケーリングノズルはこのフィルタ構造を備えていてもよい。より具体的には、本発明のノズル（スプレーノズル）及びそのフィルタ構造は、軸方向に延びる流路を有するノズルの上流域（上流部）の周壁に周方向に間隔をおいて形成され、かつ流体を前記流路内に流入させるための複数の流入口（軸方向に延びるスリット状流入口など）を備えていてもよく、前記流入口からの流体の流入域（スリットなどの前記流入口が形成された領域又はフィルタ部）の流路内に、前記整流部材（又は整流器）を配設してもよい。すなわち、本発明のノズル及びフィルタ構造は、ノズルの上流域（上流部）に周方向に間隔をおいて軸方向に延びる複数のスリットを有するスリット状フィルタ部が形成され、このフィルタ部の流路内に整流部材が配設されている。
【００２３】
前記整流部材をノズルのフィルタ部の流路内に配設すると、衝突力（又は壊食性能）を向上できる。そのため、本発明は、デスケーリングノズルの壊食能を向上させる方法も包含する。
【００２４】
なお、本明細書において、流入口が形成された領域がフィルタとして機能するため、流入口が形成された領域又は部位をフィルタ部という場合がある。
【発明の効果】
【００２５】
本発明では、整流部材が放射方向に延びる多数の羽根を備えているため、流路内で流体が乱流化するのを防止でき、流路内の流体を効率よく整流化できる。また、流体を整流化できるため、ノズルの設計に応じて、吐出口から安定した噴射パターンで流体を噴射できる。さらには、流体の整流化の程度が大きいため、衝突力、洗浄又は清浄化効率を向上でき、例えば、デスケーリングノズルでの壊食能（スケール除去能）を大きく向上できる。
【図面の簡単な説明】
【００２６】
【図１】図１は本発明のスプレーノズルの一例を示す概略斜視図である。
【図２】図２は図１のII-II線概略断面図である。
【図３】図３は整流部材を示す概略斜視図である。
【図４】図４は図１のノズル先端部の概略正面図である。
【図５】図５は他の整流部材を示す概略斜視図である。
【図６】図６は図５に示す整流部材の組立方法を示す概略図である。
【図７】図７は本発明のノズル先端部の他の例を示す部分概略斜視図である。
【図８】図８は図７のノズルの先端部を示す概略断面図である。
【図９】図９はケーシングの上流側端部の他の例を示す概略斜視図である。
【図１０】図１０は比較例１の整流部材を示す概略斜視図である。
【発明を実施するための形態】
【００２７】
図１は本発明のスプレーノズルの一例を示す概略斜視図であり、図２は図１のII-II線概略断面図であり、図３は整流部材を示す概略斜視図であり、図４は図１のノズル先端部の概略正面図である。この例ではスプレーノズルとしてデスケーリングノズルが示されている。
【００２８】
前記スプレーノズル１は、上流側に位置し、円筒状の整流流路Ｐ１を形成するための円筒状の第１のケーシング２と、このケーシングに装着され、前記整流流路Ｐ１から下流方向に延びる円筒状の中間流路Ｐ２，Ｐ３を有する円筒状の中間ケーシング１０と、このケーシングに装着され、前記中間ケーシング１０の流路から下流方向に延び、かつ下流側の流路径が絞られた噴射流路Ｐ４，Ｐ５を有する円筒状の第２のケーシング１１とを備えている。前記第１のケーシング２と中間ケーシング１０と第２のケーシング１１とは互いに螺合などにより装着され、一体化しており、整流流路Ｐ１、中間流路Ｐ２，Ｐ３及び絞り流路Ｐ４，Ｐ５は、ノズル１の軸芯に沿って軸線方向に延びるノズル孔又はノズル流路を形成している。
【００２９】
第１のケーシング２の上流域の周壁（上流端部の周面及び端面）には、夾雑物の流入を規制しつつ流体（水など）を整流流路内に流入させるため、軸方向に延びる複数のスリット状の流入口３が周方向に間隔をおいて形成され、フィルタ部を形成している。このようなフィルタ構造では、周方向に間隔をおいて形成された流入口３から流入した流体が流入域で合流して乱流を生成させ、流体の流れ方向が大きく乱れるとともに、流体の流速を大きく低減させる。
【００３０】
本発明では、前記乱流の生成を抑制するため、前記スリット状流入口３からの流体の流入域（流入口が形成された領域）の整流流路内には、放射状の複数の羽根５を備えた整流部材（又は整流器、スタビライザなどの整流ユニット）４が配設されている。この例では、図３に示されるように、整流部材４は、軸芯方向に延びる芯体を備えており、この芯体には、周方向に等間隔（又は軸芯から同じ角度で）で１２枚の羽根（又は整流羽根）５が放射方向に延びて整流部材４を形成している。また、羽根５の厚みは０．４〜０．６ｍｍ、整流部材４が装着される流路の内径（Ｄ）に対する羽根の長さ（Ｌ）の比（Ｌ／Ｄ）は１．５〜２．３に設定されている。
【００３１】
なお、整流部材（整流ユニット）４の羽根５はケーシング２の内壁に当接しているとともに、固定手段（係止、装着、溶着、固着など）により下流側への移動が規制されている。
【００３２】
さらに、乱流の生成を抑制するため、芯体の上流端からは、芯体と同軸に延出し、かつ上流方向に向かって先細り状の鋭角な円錐部（上流側が先細り状の円錐部又は円錐状の突起）６が延出しているとともに、整流羽根５により整流化された流体が整流羽根５の下流域で乱流を生成させることなく合流させるため、前記芯体の下流端からは、芯体と同軸に形成され、かつ先細状の先端部を下流方向に向けた鋭角な円錐部（下流側が先細り状態の円錐部又は円錐状の突起）７が延出している。
【００３３】
前記第１のケーシング２は実質的に同じ内径の円筒状流路（整流流路）Ｐ１を形成しており、中間ケーシング１０は、前記整流部材４の下流端から下流方向に向かって緩やかな傾斜でテーパ状に狭まり、中間ケーシング１０の途中部に至る傾斜流路（環状傾斜流路）Ｐ２と、この傾斜流路の下流端から実質的に同じ内径で下流方向に延びる円筒状流路Ｐ３とを備え、中間流路（又は絞り流路）を形成している。この例では、傾斜流路Ｐ２を形成する傾斜壁（テーパ部）のテーパ角は、例えば、５〜１０°程度に形成されている。
【００３４】
また、第２のケーシング１１の先端部には、吐出口を形成する超硬合金製ノズルチップ１２が装着されている。すなわち、前記第２のケーシング１１内には、先端部から上流方向に向かって、超硬合金製ノズルチップ１２と、前記中間ケーシング１０の下流端と実質的に同じ内径の流路が形成されたブシュ（又は環状側壁）１４とが順次装着されており、前記ノズルチップ１２は掛止段部１３により先端部方向への抜けが規制されている。前記ノズルチップ１２の先端面には、断面Ｕ字状の湾曲溝１５が半径方向に形成されているとともに、この湾曲溝の湾曲凹面には、楕円形状の吐出孔１６が開口している。楕円形状の吐出孔１６の長径／短径比は、１．５〜１．８程度に形成されている。
【００３５】
さらに、前記整流部材４の一部の羽根（芯体の半径方向の線上に位置する２つの羽根）５は、前記吐出孔１６の長軸方向とほぼ一致して半径方向に延びている。すなわち、安定な噴射パターンを得るため、前記整流部材４の羽根５の延びる方向を吐出孔１６の長径方向に合わせている。
【００３６】
前記第２のケーシング１１において、ノズル１の軸線方向に延びるノズル孔は、吐出孔（又は噴出口）１６と、ノズルチップ１２に形成され、かつ前記吐出孔１６から上流方向に向かって所定のテーパ角θで円錐状に拡径して延びるテーパ部（又は円錐状傾斜壁）１７により形成された円錐状流路（噴射流路）Ｐ５と、前記ブシュ１４により形成され、かつ前記テーパ部１７の上流端から実質的に同じ内径で上流方向へ連なる円筒状流路Ｐ４とで構成されており、円筒状流路Ｐ４は中間流路を形成している。前記テーパ部１７の角度（テーパ角）θは、低圧及び／又は低流量であっても衝突力を高めるため、４５〜５５°程度に設定されている。なお、前記テーパ部１７の上流端から実質的に同じ内径で延びる流路（この例では、円錐状流路（噴射流路）の上流端から緩やかな傾斜流路Ｐ２の下流端までの円筒状流路Ｐ３及びＰ４）を径大部１８とすることができる。前記吐出孔１６と径大部１８との関係について、吐出孔１６の短径Ｄ２に対する径大部１８の内径Ｄ１の割合（Ｄ１／Ｄ２）は、ノズル１を小型化するため、３〜７程度に設定されている。
【００３７】
なお、前記第１及び第２のケーシング２，１１や中間ケーシング１０の適所（この例では、第２のケーシング１１）には、アダプター（図示せず）を利用して導管又はヘッダ（図示せず）にノズル１を取り付けるための鍔部（又はフランジ）１９などの取付部を形成してもよく、導管に対する周方向の位置決め用凸部２０を形成してもよい。
【００３８】
このようなフィルタ構造を備えたスプレーノズルを用いると、前記整流部材４が所定の厚み及び長さを有する多数の整流羽根５を有しているため、前記流入口３又はフィルタ部から流入した流体の乱流化を有効に防止して流体を効率よく整流化できる。また、整流部材４の円錐部（円錐状突起）６，７、特に下流側の円錐部（円錐状突起）７により急激な流体の衝突を防止して流体をさらに整流化でき、流体を均等に分配して、吐出口１６の近傍で流体が乱流化するのを抑制できる。そのため、流体の流速を低減させることなく、噴霧パターンを安定化できる。さらに、衝突力及び壊食性能を向上できる。
【００３９】
さらには、ノズル孔の径大部１８を経てテーパ部１７が直線的に傾斜して吐出孔１６に至っているため、シャープな衝突力分布を実現でき、小型であっても低圧及び低流量で効率よくスケールを除去できる。また、低圧及び低流量でデスケーリングできるため、鋼板の冷却を抑制しつつデスケーリング性能を改善できる。なお、鋼板に対してノズル１を近接させることにより、さらに衝突力を向上でき、デスケーリング性能を改善できる。そのため、前記ノズル１は、水を吐出させ、熱間圧延などの鋼板表面のスケールを除去するためのデスケーリングノズル（又はフラットデスケーリングノズル）として有用である。
【００４０】
なお、整流部材は軸芯から放射状に延びる整流羽根を備えており、整流羽根は、周方向に不規則的な間隔で放射状に延びていてもよいが、通常、周方向に規則的な間隔、特に周方向に等間隔（又は軸芯から同じ角度の間隔）で軸芯を中心として放射状に延びている。整流部材の整流羽根は、軸方向に対して斜め方向に延びていてもよく、軸方向に沿って湾曲して延びていてもよいが、通常、軸方向に沿って直線状に延びている。羽根の枚数は奇数枚であってもよく偶数枚であってもよい。
【００４１】
さらに、ノズルの先端部の吐出口が楕円形状で開口している場合、前記整流部材の一部の羽根は、吐出口の長軸、短軸又は斜め方向に向いていてもよいが、安定な噴射パターンを得るため、吐出孔の長軸方向を向いているのが好ましい。特に、前記整流部材の一部の羽根（軸芯を中心としてほぼ対向する位置に形成された一対の羽根など）は、吐出孔の長軸方向と向きをほぼ一致させて半径方向に延びているのが好ましい。
【００４２】
前記のように、整流部材の構造（羽根の枚数、厚み、長さ）を最適化することにより、壊食性能を向上できる。特に、羽根の枚数及び厚みの効果は顕著であり、羽根の枚数が多いほど、また羽根の厚みが小さいほど、壊食性能が向上する。羽根の枚数は、ノズルのサイズや用途などに応じて、例えば、１０〜２０枚（例えば、１０〜１８枚）程度の範囲から選択でき、通常、１０〜１６枚、好ましくは１０〜１４枚（例えば、１２〜１４枚）程度である。なお、羽根の枚数が多くなるにつれて衝突力（又は壊食性能）は向上するが、羽根の枚数が多くなりすぎると、羽根同士の間隔が小さくなり過ぎて、詰まりが発生しやすくなる。そのため、フィルタ構造により詰まりの発生を防止できるノズルでは、羽根の数が多いほど有利であるが、通常のスリット状流入口などで形成されたフィルタ構造を有するノズル（特に、デスケーリングノズル）では、前記１０〜１４枚（例えば、１２〜１４枚）、特に１２枚程度の羽根が有利である。
【００４３】
羽根の厚みを薄くするにつれて、羽根の端面での流れの乱れを軽減できるため、整流作用を高め、衝突力（壊食性能）を向上できる。一方、羽根の厚みが薄すぎると、強度が低下して羽根が変形又は破損するおそれがある。そのため、羽根の厚みは、ノズルのサイズや用途などに応じて、０．１〜１ｍｍ（例えば、０．２〜０．９ｍｍ）程度の範囲から選択でき、通常、０．３〜０．８ｍｍ（例えば、０．５〜０．８ｍｍ）、好ましくは０．３〜０．７ｍｍ（例えば、０．４〜０．６ｍｍ）程度であってもよく、０．４〜０．７ｍｍ程度であってもよい。
【００４４】
羽根の長さは、ノズルのサイズなどに応じて、１０〜５０ｍｍ（例えば、１２〜４５ｍｍ）程度の範囲から選択でき、例えば、１５〜４５ｍｍ（例えば、１７〜４０ｍｍ）、好ましくは２０〜４３ｍｍ（例えば、２３〜４０ｍｍ）、さらに好ましくは２５〜４０（例えば、２５〜３８ｍｍ）程度であり、１６〜３５ｍｍ（例えば、２５〜３５ｍｍ）程度であってもよい。羽根の長さを２５〜４０ｍｍ（例えば、２８〜３８ｍｍ）程度にすると、性能が大幅に向上する。
【００４５】
また、整流部材が装着される流路（円筒状流路）の内径（Ｄ）に対する羽根の長さ（Ｌ）の比（Ｌ／Ｄ）が大きいほど整流効果が高く、壊食性能が向上する傾向を示し、前記比（Ｌ／Ｄ）が大きすぎると、噴射パターンに曲がりが発生するなど噴霧が不安定になりやすくなる。前記比（Ｌ／Ｄ）は、ノズルのサイズや用途などに応じて、１〜３（例えば、１．３〜２．５）程度の範囲から選択でき、通常、１．５〜２．３（例えば、０．６〜２．２）、好ましくは１．８〜２．１程度であってもよく、１〜２．３程度であってもよい。なお、前記通常のスリット状流入口などで形成されたフィルタ構造を有するノズル（特に、デスケーリングノズル）では、比（Ｌ／Ｄ）が１．５未満では整流効果及び壊食性能が低い場合がある。
【００４６】
前記整流部材の上流部及び下流部には、必ずしも必要ではないが、流体をより整流化するため、整流案内部を備えているのが好ましい。この整流案内部は、下流方向又は上流方向にいくにつれて先細りとなる形態を有していればよく、整流案内部材の頂部は、流体の乱流化を抑制できる限り、弾頭状、ノーズ状などの形態で湾曲していてもよく、円錐台状であってもよく、先端が鋭角に尖った円錐状であってもよい。
【００４７】
整流案内部（先細状の円錐状の突起など）は必ずしも必要ではないが、少なくとも整流部材の下流側に整流案内部（先細状の突起、円錐部など）を形成するのが好ましい。整流部材の下流側に下流方向にいくにつれて先細りとなる円錐状の突起（円錐部）を形成し、整流部材の上流側に上流側ほど先細りとなる円錐状の突起（円錐部）を形成すると、整流効果が高めることができ有利である。この整流案内部（円錐状の突起）の頂点は、整流羽根よりも上流方向及び下流方向に延出している。
【００４８】
また、整流羽根は芯体から放射状に延出している必要はなく、軸芯から放射状に延出していればよい。このような整流羽根を備えた整流部材は、例えば、互いに装着可能な切り込み部を有する複数の板部材を組み合わせることにより形成してもよい。
【００４９】
整流部材は、ノズルの流路内に配設すればよく、通常、所望する整流域（整流流路）に応じて、ノズルの上流部、特に流体の流入域（流入口が形成された領域）に通じる整流流路内、特に、少なくとも流入口の流入域よりも下流域に配設され、整流部材の一部は流入口からの流体の流入域に至っていてもよい。より具体的には、整流部材は、流入口全体と流入口の下流域とに亘る領域、前記流入口の一部と流入口の下流域とに亘る領域、流入口よりも下流域などの適所に配設できる。
【００５０】
図５は他の整流部材を示す概略斜視図であり、図６は図５に示す整流部材の組立方法を示す概略図である。
【００５１】
図５に示す整流部材２４は、上流部及び下流部に円錐状突起部が形成されていない点、複数の板部材２６ａ〜２６ｆの組合せにより整流羽根２５が延出している点を除いて、図３に示す整流部材と同様に構成されている。この例の整流部材は、図６に示されるように、６枚の板部材２６ａ〜２６ｆを組み合わせて１２枚の羽根２５を形成している。すなわち、第１の板部材２６ａには、端部から所定長さの第１の装着部２７ａを残して、幅方向の中央部に長手方向（又は軸方向）に延びる所定長さの第１のスリット状切り込み部２８ａが形成され、第２の板部材２６ｂの幅方向の中央部には、長手方向（又は軸方向）に沿って、一方の端部から第１の装着部２７ａに装着可能であり、かつ第１の装着部２７ａに対応する長さのスリット２９ｂが形成され、所定長さの第２の装着部２７ｂを残して、他方の端部から延びる所定長さのスリット状切り込み部２８ｂが形成されており、第３の板部材２６ｃの幅方向の中央部には、長手方向（又は軸方向）に沿って、一方の端部から、第２の装着部２７ｂに装着可能であり、かつ第１及び第２の装着部２７ａ，２７ｂに対応する長さのスリット２９ｃが形成され、所定長さの第３の装着部２７ｃを残して、他方の端部から所定長さのスリット状切り込み部２８ｃが形成されている。第４の板部材２６ｄ、第５の板部材２６ｅ及び第６の板部材２６ｆは、前記第３の板部材２６ｃ、第２の板部材２６ｂ及び第１の板部材２６ａと対称の形態でスリット２９ｄ〜２９ｆ、装着部２７ｄ〜２７ｆ及びスリット状切り込み部２８ｄ〜２８ｅが形成されている。なお、第６の板部材２６ｆは、第１の板部材２６ａと対称の形態を有しており、一方向からだけスリット状切り込み部が形成されている。
【００５２】
図６に示されるように、第１の板部材２６ａに対して第２の板部材２６ｂ、第２の板部材２６ｂに対して第３の板部材２６ｃ、第３の板部材２６ｃに対して第４の板部材２６ｄ、第４の板部材２６ｄに対して第５の板部材２６ｅ、第５の板部材２６ｅに対して第６の板部材２６ｆを順次装着又は嵌合することにより、図５に示す整流部材２４を組み立てることができる。これらの１２枚の羽根は周方向において角度３０°毎に形成されている。
【００５３】
このような整流部材は効率よく組立てることができるとともに、整流羽根の数が多いため、整流効果を高めることができる。
【００５４】
なお、整流部材の整流羽根を前記板部材で構成する場合、整流羽根の枚数に応じて、ｎ枚の板部材の組み合わせにより、２×ｎ枚の羽根を形成できる。また、複数の板部材の組合せにより整流羽根を形成する場合、各板部材の装着部（各板部材が集合した芯部）を接合して補強してもよい。また、整流部材のうち各板部材が集合した芯部の少なくとも下流側（好ましくい下流部及び上流部）には、前記円錐状の突起部材を取り付けてもよい。
【００５５】
さらに、整流羽根の上流側及び下流側の端面は、面取りされていてもよく、鋭角に尖っていてもよい。また、整流羽根の半径方向の端部（外方向の端部又はコーナー部）は所定のアール形状に湾曲又は傾斜していてもよい（又は上流方向又は下流方向にいくにつれて半径方向の径が小さくなっていてもよい）。
【００５６】
図７はノズル先端部の他の例を示す部分概略斜視図であり、図８は図７のノズルの先端部を示す概略断面図である。
【００５７】
この例のスプレーノズル３０は、ノズル先端部の構造が異なる点を除いて、前記図１に示すスプレーノズルと同様の構造を有している。すなわち、第２のケーシング３１に装着された超硬合金製ノズルチップ３２の先端部には、楕円形状の凹部（又は環状凹部）３５が形成され、この凹部は、ノズルの先端部から上流側にいくにつれて半径方向の内方へ直線状又は湾曲して傾斜した（又は狭まる）傾斜側壁３５ａと、この傾斜側壁の上流端から軸線方向に延びる周壁３５ｂとを備えている。そして、このような凹部３５の中央部には、前記楕円形状凹部３５の長軸と軸線を同じくして楕円形状の吐出孔３６が開口している。この吐出孔（又は前記周壁の上流端）３６から上流方向には、前記と同様に、テーパ部（テーパ状環状側壁又はテーパ側壁）３７により所定のテーパ角θで拡がるテーパ状流路（又は円錐状流路）Ｐ５と、ブシュ又は環状側壁３４によりほぼ同じ内径で延びる流路（径大流路又は径大部３８）Ｐ４（又はＰ４〜Ｐ１）とが形成されている。
【００５８】
このようなノズルでも、整流部材により、乱流の発生を軽減しつつ、流体の整流化と噴霧パターンの安定化を実現できる。また、前記径大部３８及びテーパ部３７を経て吐出孔から水を噴出できるので、低圧及び／又は低流量であってもデスケーリング効率を向上できる。さらに、吐出孔３６の全周に亘って、周壁により所定の厚みを確保できるとともに、テーパ部（又はテーパ側壁）３７と傾斜側壁との角度を大きく形成でき厚肉化できるので、吐出孔３６を含めてノズル孔の耐摩耗性を改善できる。また、吐出孔３６の全周に亘って傾斜側壁が形成され、吐出孔３６が深部に位置するので、ノズルからの吐出流が鋼板などから跳ね返っても、吐出孔やその周辺に衝突するおそれが少なくなる。そのため、ノズルの耐久性を改善できる。
【００５９】
なお、吐出孔を含めてノズル孔の形状は特に制限されず、種々のノズル孔が利用できる。例えば、ノズルチップの先端面において、断面Ｕ字状の湾曲溝の底面は、吐出孔を最下部として延出方向（又は半径方向）にいくにつれて両端部が隆起した湾曲状底面であってもよい。また、ノズル先端部の凹面は、前記断面Ｕ字状溝（断面湾曲面）に限らず、湾曲凹面（開口部側が広がり、上流部側が狭まった湾曲面、例えば、球面状の凹部面、楕円面状の凹部面、茶碗状凹部面、ラッパ状凹部などの湾曲凹面など）であってもよい。さらに、ノズル先端部の凹面は、湾曲状又は直線状に傾斜した側壁を有する凹部で形成してもよい。
【００６０】
本発明のノズル及びそのフィルタ構造は、軸方向に延びる流路を有し、ノズルの上流域において周方向に間隔をおいて形成された流入口を備えており、この流入口は前記軸方向に延びるスリット状流入口（又はスリット）に限らず、周方向に延びるスリット、ランダム方向に延びるスリットで形成してもよく、複数の孔（円形状、楕円形状などの孔）で形成できる。流入抵抗を低減し、流体を流路内に円滑に流入させるためには、軸方向に延びた流入口（特にスリット状流入口）であるのが好ましい。なお、流入口を前記円形状などの孔で形成する場合、規則的又は不規則的に散在させてもよく、周方向に間隔をおいて、軸方向に列状に並ぶ複数の孔で流入口を形成してもよい。流入口は、ノズルの上流域の周壁に周方向に間隔をおいて形成すればよく、通常、周方向に隣接させて等間隔で形成する場合が多い。流入口の数は、例えば、ノズルの大きさ、流入口の形状などに応じて選択でき、スリット状流入口の数は、例えば、３〜２０（好ましくは６〜２４）程度であってもよい。
【００６１】
本発明のスプレーノズルのノズル孔は、整流部材から吐出口に向かって延びる先細状の流路を備えており、通常、ノズル孔の先端部は噴射流路を形成している。例えば、ノズル孔は、前記のように、上流から下流に向かって、整流流路、中間流路又は絞り流路、および噴射流路を備えていてもよい。特に、ノズル孔を、先端部（先端部の凹面又は凹部など）で開口した吐出孔と、吐出孔から延びるテーパ部と、このテーパ部に連なる径大部とで構成すると、衝突力及び壊食性能を向上できる。そのため、このような流路を有するノズルはフラットスプレーノズルを構成するのに有用である。
【００６２】
前記吐出孔は、扁平状などの種々の形状であってもよいが、通常、楕円形状である。楕円形状の吐出孔において、長径と短径との割合は、例えば、長径／短径＝１．２〜３、好ましくは１．２〜２．５、さらに好ましくは１．４〜２程度である。
【００６３】
さらに、前記整流部材の一部の羽根（特に、半径方向の線上に位置する２つの羽根）の延出方向（半径方向への延出方向）と、前記吐出孔の長軸方向とは必ずしも一致している必要はなく、互いにずれていてもよいが、安定な噴射パターンを得るため、ほぼ一致しているのが好ましい。すなわち、前記整流部材の羽根の延びる方向は、吐出孔の長径方向（長軸方向）に一致又は合わせるのが好ましい。
【００６４】
前記テーパ部は所定の角度で直線状に傾斜していてもよく、異なる複数の傾斜角で順次傾斜していてもよく、湾曲して傾斜していてもよい。前記テーパ部は、角度の異なる複数のテーパ部（例えば、３以上のテーパ部）で構成された多段テーパ部であってもよく、吐出孔から軸線方向の上流側に向かって内径が連続的に大きくなる紡錘状の湾曲面によりテーパ面を形成してもよい。前記テーパ部の角度（テーパ角）θは、２０〜８０°程度の範囲、例えば、３０〜８０°、好ましくは３５〜７５°（例えば、３５〜６０°）、さらに好ましくは４０〜７０°、特に４０〜６０°程度の範囲から選択できる。なお、テーパ部が複数のテーパ部や湾曲部で構成されている場合、吐出側（下流側）に位置する最小の孔部（吐出孔）と、上流側に位置する径大部の始端部とを結ぶ線で形成される角度を前記テーパ角θとすることができる。
【００６５】
本発明のスプレーノズル及びノズルチップにおいて、吐出孔の短径Ｄ２に対する径大部の内径Ｄ１の割合（Ｄ１／Ｄ２）は、２〜１０程度であってもよい。ノズルを小型化するためには、割合（Ｄ１／Ｄ２）は、３以上（例えば、３〜１５）、例えば、３〜１０（例えば、３〜８）、好ましくは３．５〜７．５、さらに好ましくは４〜７（例えば、４〜６）程度であってもよい。なお、径大部の内径Ｄ１は、８〜２０ｍｍ（例えば、８〜１５ｍｍ、好ましくは９〜１５ｍｍ）程度であってもよい。
【００６６】
径大部は、通常、実質的に同じ内径に形成する場合が多いものの、デスケーリング効率を損なわない限り、前記傾斜部のように、角度０〜３°で上流方向に向かって内径が若干拡大して傾斜していてもよい。径大部（円筒状径大部又は径大流路部）の全体の長さは、例えば、３０〜３００ｍｍ（例えば、５０〜２００ｍｍ）、好ましくは５０〜１５０ｍｍ（例えば、７５〜１５０ｍｍ）程度である。
【００６７】
本発明のノズルは、第１のケーシングと中間ケーシングと第２のケーシングとで構成する必要はなく、単一の又は複数のケーシングで構成してもよい。また、上流域を形成するケーシングの上流側端部には、湾曲端面又は膨出状端面を形成してもよい。図９はケーシングの上流側端部の他の例を示す概略図である。
【００６８】
この例では、第１のケーシング４１の上流側の端部はノーズ状又は頭部状の湾曲端部として形成されており、ケーシングの端部の周面及び湾曲端部面には、軸方向に延びる複数のスリット状流入口４３が所定間隔をおいて周方向に形成されている。このようなケーシング４１のスリット状流入口４３でも、円滑に水を流入させ、前記と同様の仕切り部材、及び必要により整流部材を利用して、吐出孔から均一で高い衝突力分布で吐出流を噴出できる。
【００６９】
本発明の整流部材、フィルタ構造及びそれを備えたノズル（スプレーノズル）は、種々の用途、例えば、熱間圧延鋼板のスケール、基材の錆や塗料の除去、基材の洗浄などに利用できる。特に、前記整流部材を利用することにより、衝突力及び壊食能を向上でき、高圧スプレーノズルとして有用である。そのため、前記ノズルは、鋼板のスケールを除去するためのデスケーリングノズルとして有用である。高圧スプレーノズル（デスケーリングノズルなど）では、低圧及び／又は低流量であってもデスケーリング効率を大きく改善できる。例えば、ノズルからの水の吐出圧又は噴出圧は、５〜５５ＭＰａ（好ましくは８〜３０ＭＰａ、さらに好ましくは１０〜２５ＭＰａ、特に１２〜２０ＭＰａ（例えば、１５〜１８ＭＰａ））程度であってもよく、水の吐出流量又は噴出流量は、例えば、４０〜２００Ｌ／分程度の範囲、通常、４５〜１５０Ｌ／分、好ましくは５０〜１００Ｌ／分、特に４０〜１００Ｌ／分（例えば、５０〜８０Ｌ／分）程度であってもよい。
【００７０】
被処理基材（鋼板）に対する吐出距離（スプレー距離）は、用途に応じて選択でき、デスケーリングの用途では、例えば、６００ｍｍ以下（例えば、５０〜５００ｍｍ程度）の範囲から適当に選択できる。特に、本発明では吐出距離（スプレー距離）が遠距離、例えば、２００〜７００ｍｍ、好ましくは３００〜６００ｍｍ（例えば、３００〜５００ｍｍ）程度であっても、高い衝突力を発揮する。なお、吐出距離（スプレー距離）が短ければ、デスケーリング効率をさらに高めることができる。そのため、鋼板に対してノズルは近接させてもよく、前記吐出距離は、２００ｍｍ以下（好ましくは５０〜２００ｍｍ、さらに好ましくは５０〜１８０ｍｍ、特に７５〜１５０ｍｍ）程度であってもよい。
【００７１】
なお、図示する例のノズルでは、吐出流は、通常、ノズル軸心に対して垂直な面内の一方向（面方向又は幅方向）に広がりを形成する。このようなノズル（フラットスプレーノズル）は、シャープでしかも均一な衝突力分布を実現でき、吐出流の衝突力分布において、幅方向の両側ではシャープな立ち上がりを示すだけでなく、幅方向の全体に亘ってほぼ均一で高い衝突力を示す。また、前記スプレーノズルは、通常、前記幅方向に対して垂直な方向（厚み方向）に、所定の壊食厚み角度φを備えており、所定の壊食厚み角度φで水が吐出又は噴出される。壊食厚み角度φはデスケーリング効率を損なわない限り特に制限されず、例えば、１．５〜３°（好ましくは２〜２．５°）程度である。なお、壊食厚み角度φは下記式に従って算出できる。
φ＝２ｔａｎ−１［（ｔ−ｄ）／２Ｈ］
（式中、ｔ（ｍｍ）は壊食厚み、ｄ（ｍｍ）はノズル吐出孔の短径、Ｈ（ｍｍ）はスプレー距離又は噴射距離を示す）
【００７２】
本発明では、整流部材を、ノズル流路（フィルタ部の流路など）内に配設することにより、吐出口からの流体による衝突力及び壊食性能を向上できる。そのため、本発明は、デスケーリングノズルの壊食能を向上させる方法も包含する。
【実施例】
【００７３】
以下に、実施例に基づいて本発明をより詳細に説明するが、本発明はこれらの実施例によって限定されるものではない。
【００７４】
実施例１〜７及び比較例１〜４
図１に示すスプレーノズルを用いて、表１に示すように、羽根枚数、羽根厚み、羽根長さの異なる整流部材１０種類について、鉛壊食性能を調べた。これらのノズルは断面Ｕ字状溝の凹面で開口されたノズルチップの吐出孔（長径４．７ｍｍ、短径３．３ｍｍの楕円形状）、吐出孔からテーパ角５０°、ノズルケース及び第１のケーシングの途中部まで延びる内径１１ｍｍφの径大部を形成する円筒状流路、この円筒状流路の上流端からテーパ角７．５°で延びる傾斜流路（長さ３６ｍｍ）、この傾斜流路の上流端から内径１６ｍｍφで延び、かつ整流部材が装着された円筒状流路（φ１６ｍｍ）、第２のケーシングの上流側端部に形成された１２個のスリット（スリット長２５ｍｍ）を有している。Ｄ１／Ｄ２は３．３である。
【００７５】
径大部を形成する円筒状流路の長さは、羽根の長さが１６ｍｍの場合には７９ｍｍ、羽根長さが２５ｍｍの場合には７０ｍｍ、羽根長さが３５ｍｍの場合には６０ｍｍとした。また、整流部材としては、図３に示されるように、上流側及び下流側にそれぞれ先端部が上流側および下流側に向いた円錐状突起を備えた一体型の整流部材（比較例１〜３，実施例１〜３、実施例５〜６）と、図５及び図６に示すように、６枚の板部材の組み合わせにより１２枚の羽根を形成し、上記円錐状突起は備えていない組合せ型の整流部材（実施例４および実施例７）を用いた。比較例１〜３で用いた整流部材５４は、図１０に示されるように、芯体から周方向に４５°の角度で放射状に延びる８枚の羽根５５と、上流部及び下流部に取り付けられた円錐状突起５６，５７とを備えている。一体型の整流部材は、円錐状突起も含め、切削加工により削り出して形成した。また、整流部材はいずれも、圧入により第２のケーシング内に固定した。
【００７６】
壊食性能は、スプレーの噴射圧（水圧）１５ＭＰａおよび吐出流量１１６リットル／分に設定し、スプレー距離３００ｍｍ、鉛壊食時間２０秒の条件で鉛壊食量を調べた。結果を表１に示す。なお、鉛壊食速度比は、比較例２の鉛壊食速度を「１」として表している。
【００７７】
結果を表１に示す。なお、表中、Ｄは整流部材が装着された円筒状流路の内径を示す。
【００７８】
【表１】
2011115749.tif 000003
【００７９】
表１から明らかなように、比較例に比べ、実施例では壊食性能を大きく向上できる。特に、羽根の数が１２枚の整流部材を用いた例では壊食性能が顕著に向上し、羽根の厚みが小さく、羽根の長さが大きい整流部材（特に、羽根の長さが２５ｍｍ以上、特に３５ｍｍの整流部材）では壊食性能が向上した。
【産業上の利用可能性】
【００８０】
本発明の整流部材、フィルタ構造及びノズルは、基材の洗浄、錆や塗膜の除去、鋼板表面のデスケーリング（熱間圧延工程での鋼板表面のデスケーリング）などの広い用途に利用できる。特に、低圧及び低流量であっても、衝突力が高く、均一な噴霧パターンを形成できるので、デスケーリングノズルとして有用である。
【符号の説明】
【００８１】
１，２１，４１…スプレーノズル
２…第１のケーシング
３，４３…流入口
４，２４…整流部材
５，２５…羽根（整流羽根）
６，７，２６，２７…円錐部
１０…中間ケーシング
１１，３１…第２のケーシング
１２，３２…ノズルチップ
１５，３５…湾曲溝
１６，３６…吐出口
１７，３７…テーパ部
１８，３８…径大部
３５…凹部
【図１】
2011115749.tif 000004
【図２】
2011115749.tif 000005
【図３】
2011115749.tif 000006
【図４】
2011115749.tif 000007
【図５】
2011115749.tif 000008
【図６】
2011115749.tif 000009
【図７】
2011115749.tif 000010
【図８】
2011115749.tif 000011
【図９】
2011115749.tif 000012
【図１０】
2011115749.tif 000013